(57)【要約】【課題】建物の施工と並行して行われるケーブル類の配線工事を容易かつ確実に実施できる新規な建物の配線構造を提供する。【解決手段】下階の壁パネルＰｗ上に床パネルＰｆを介して上階の壁パネルＰｗを接合した建物の配線構造であって、前記下階の壁パネルＰｗ上端と前記上階の壁パネルＰｗ下端間に、前記床パネルＰｆを通過するパイプ体２００を架け渡すと共に、当該パイプ体２００内に前記下階および上階壁パネルＰｗ、Ｐｗ間に亘るケーブル類Ｃを通過させて配線する。これによって、床パネルＰｆを通過して上下階に亘る電線などのケーブル類ＣをパネルＰｗ、Ｐｆ内に容易かつ確実に配線できる。【選択図】        図７
2010144448.tif 000002
【特許請求の範囲】
【請求項１】
下階の壁パネル上に床パネルを介して上階の壁パネルを接合した建物の配線構造であって、
前記下階の壁パネル上端と前記上階の壁パネル下端間に、前記床パネルを通過するパイプ体を架け渡すと共に、当該パイプ体内に前記下階および上階壁パネル間に亘るケーブル類を通過させて配線したことを特徴とする建物の配線構造。
【請求項２】
下階の壁パネル上に床パネルを介して上階の壁パネルを接合した建物の配線構造であって、
前記下階の壁パネル上端と前記上階の壁パネル下端間を前記床パネルを挟んで接合ボルトで接合すると共に、当該接合ボルトを両端が開口した中空ボルトで構成し、当該中空ボルト内に前記下階および上階壁パネル間に亘るケーブル類を通過させて配線したことを特徴とする建物の配線構造。
【請求項３】
請求項１または２に記載の建物の配線構造において、
前記下階壁パネルと上階壁パネル間に前記床パネルの端面を位置させると共に、当該床パネルの端面に胴差しを接合し、当該胴差しの接合面または前記床パネルの端面のいずれか一方あるいは両面に、前記パイプ体または中空ボルトが通過する溝部を備えたことを特徴とする建物の配線構造。
【請求項４】
梁材上に床パネルを介して壁パネルを接合した建物の配線構造であって、
前記壁パネルの下端と前記梁材間に、前記床パネルを通過するパイプ体を架け渡すと共に、当該パイプ体内に前記壁パネルと梁材間に亘るケーブル類を通過させて配線したことを特徴とする建物の配線構造。
【請求項５】
梁材上に床パネルを介して壁パネルを接合した建物の配線構造であって、
前記壁パネルの下端と前記梁材間を前記床パネルを挟んで接合ボルトで接合すると共に、当該接合ボルトを両端が開口した中空ボルトで構成し、当該中空ボルト内に前記壁パネルと前記梁材間に亘るケーブル類を通過させて配線したことを特徴とする建物の配線構造。
【請求項６】
請求項４または５に記載の建物の配線構造において、
前記壁パネルと梁材間に前記床パネルの端面を位置させると共に、当該床パネルの端面に胴差しを接合し、当該胴差しの接合面または前記床パネルの端面のいずれか一方あるいは両方に、前記パイプ体または中空ボルトが通過する溝部を備えたことを特徴とする建物の配線構造。
【請求項７】
請求項２または５に記載の建物の配線構造において、
前記接合ボルトは、胴差ボルトであることを特徴とする建物の配線構造。
【請求項８】
請求項１〜７のいずれか１項に記載の建物の配線構造において、
前記壁パネル内に、前記ケーブル類を通過させて配線するための案内管を備えたことを特徴とする建物の配線構造。
【請求項９】
請求項１〜７のいずれか１項に記載の建物の配線構造において、
前記壁パネルと床パネル、および当該床パネルと前記梁材とを接着剤およびスクリュー釘で連結することを特徴とする建物の配線構造。
【請求項１０】
柱と横架材とを座付ボルトで接合した建物の配線構造であって、
前記円形座付ボルトを両端が開口した中空ボルトで構成し、当該中空ボルト内に、前記柱と横架材との間に亘るケーブル類を通過させて配線したことを特徴とする建物の配線構造。
【請求項１１】
小屋梁材と軒桁材、軒桁材と柱材、胴差材と床梁材および柱材と胴差材とを羽子板ボルトで接合した建物の配線構造であって、
前記羽子板ボルトを両端が開口した中空ボルトで構成し、当該中空ボルト内に、前記小屋梁材と軒桁材との間、または軒桁材と柱材との間、または胴差材と床梁材との間、あるいは柱材と胴差材との間に亘るケーブル類を通過させて配線したことを特徴とする建物の配線構造。
【請求項１２】
梁材と桁材間を火打金物で補強した建物の配線構造であって、
前記火打金物をパイプ体で構成し、当該パイプ体内に、前記梁材と桁材との間に亘るケーブル類を通過させて配線したことを特徴とする建物の配線構造。
【発明の詳細な説明】
【技術分野】
【０００１】
本発明は、木造家屋などの建物に付設される電線などのケーブル類の配線構造に関する。
【背景技術】
【０００２】
従来、木造家屋などの建物の工法の１つとして、例えば以下の特許文献１〜３などに示すような木質系パネル工法と称される工法がある。
この工法は、芯材と構造用合板を接着剤により貼り合わせた各種の木質系パネル（壁パネル、床パネル、屋根パネルなど）を工場にて生産し、これを施工現場で接着剤やボルト、スクリュー釘などによって一体化して床面や壁面を形成して家屋に組み立てるものである。
そして、この工法によって建設された建物は、いわゆるモノコック構造となっているため、地震や台風などによる横方向の水平荷重は勿論、積雪や地震（縦揺れ）などによる上下方向からの鉛直荷重を瞬時に建物全体に分散して受け止めることで構造上優れた強度を発揮することができる。
【特許文献１】特開平３−７９２４３号公報
【特許文献２】特開平７−１８９３６５号公報
【特許文献３】特開２００３−３２８４４４号公報
【発明の開示】
【発明が解決しようとする課題】
【０００３】
ところで、このような木質系パネル工法による建物の施工にあたっては、各種の木質系パネルの組み立て作業と並行して、その建物に予め付設する各種ケーブル類、例えば電源線や電話線、ＬＡＮケーブル、光ファイバーなどの配線工事も行われている。
しかしながら、これらケーブル類の配線工事は、その現場施工ごとにルールなく行われているため、配線工事の作業効率が芳しくなく、また場合によっては建物の構造耐力に悪影響を及ぼすおそれがある。
【０００４】
すなわち、例えば前記の木質系パネル工法による建物の施工に際して下階から上階に亘ってケーブル類を配線する場合、壁パネルや床パネルを組み立てた後、あるいはその直前にそのパネルやまぐさなどの梁材などに対して適宜配線のための孔加工や溝加工を施す必要があるが、その作業は容易ではなく作業効率の低下を招くおそれがある。また、これらのケーブル類の配線のための加工は、現場ごとにその現場作業員が独自の判断によって行われているため、その加工位置や程度によっては、木質系パネル等の強度などを損ねる場合が考えられる。
そこで、本発明はこのような不都合を解消するためになされたものであり、その主な目的は、建物の施工と並行して行われるケーブル類の配線工事を容易かつ確実に実施できる新規な建物の配線構造を提供することを目的とする。
【課題を解決するための手段】
【０００５】
〔発明１〕
前記課題を解決するために第１の発明は、下階の壁パネル上に床パネルを介して上階の壁パネルを接合した建物の配線構造であって、前記下階の壁パネル上端と前記上階の壁パネル下端間に、前記床パネルを通過するパイプ体を架け渡すと共に、当該パイプ体内に前記下階および上階壁パネル間に亘るケーブル類を通過させて配線したことを特徴とする建物の配線構造である。
【０００６】
このような配線構造によれば、床パネルを通過して上下階に亘る電線などのケーブル類をパイプ体を通過させてパネル内に容易かつ確実に配線できる。これによって、上下階に亘る配線の手間を省くことができる。また、現場において配線のための余分な加工をパネルに施す必要がなくなるため、パネルや建物の強度低下などを回避できる。
ここで、本発明でいう「ケーブル類」とは、例えば電源コンセントに接続される電源線の他、電話線やＬＡＮケーブル、光ファイバーなどの通信ケーブル、テレビ放送受信用ケーブルなどを主に想定しているが、これに限定されるものでなく例えばインターホンの信号線や火災報知器や緊急警報装置の信号線などのように建物の施工と同時行われる可能性があるあらゆるケーブル類（有線）を含むものである（以下、同じである）。
【０００７】
〔発明２〕
また、第２の発明は、下階の壁パネル上に床パネルを介して上階の壁パネルを接合した建物の配線構造であって、前記下階の壁パネル上端と前記上階の壁パネル下端間を前記床パネルを挟んで接合ボルトで接合すると共に、当該接合ボルトを両端が開口した中空ボルトで構成し、当該中空ボルト内に前記下階および上階壁パネル間に亘るケーブル類を通過させて配線したことを特徴とする建物の配線構造である。
このような配線構造によれば、第１の発明の効果に加え、両壁パネルを接合するための接合ボルトを配線のために活用できる。これによって、ケーブル類の配線作業をさらに容易かつ確実に実施できる。
【０００８】
〔発明３〕
また、第３の発明は、第１または第２の発明において、前記下階壁パネルと上階壁パネル間に前記床パネルの端面を位置させると共に、当該床パネルの端面に胴差しを接合し、当該胴差しの接合面または前記床パネルの端面のいずれか一方あるいは両面に、前記パイプ体または中空ボルトが通過する溝部を備えたことを特徴とする建物の配線構造である。
このような配線構造によれば、建物の外壁や吹き抜け部分に位置する壁パネル間においても上階に亘るケーブル類の配線を容易に行える。
【０００９】
〔発明４〕
また、第４の発明は、梁材上に床パネルを介して壁パネルを接合した建物の配線構造であって、前記壁パネルの下端と前記梁材間に、前記床パネルを通過するパイプ体を架け渡すと共に、当該パイプ体内に前記壁パネルと梁材間に亘るケーブル類を通過させて配線したことを特徴とする建物の配線構造である。
このような配線構造によれば、梁材と壁パネル間に亘るケーブル類の配線を正確かつ容易に配線できる。また、配線のための余分な加工をパネルや梁材に施す必要がなくなるため、パネルや梁材の強度低下などを回避できる。
【００１０】
〔発明５〕
また、第５の発明は、梁材上に床パネルを介して壁パネルを接合した建物の配線構造であって、前記壁パネルの下端と前記梁材間を前記床パネルを挟んで接合ボルトで接合すると共に、当該接合ボルトを両端が開口した中空ボルトで構成し、当該中空ボルト内に前記壁パネルと前記梁材間に亘るケーブル類を通過させて配線したことを特徴とする建物の配線構造である。
このような配線構造によれば、第４の発明の効果に加え、壁パネルと梁材を接合するための接合ボルトを配線のために活用できる。これによって、ケーブル類の配線作業をさらに容易かつ確実に実施できる。
【００１１】
〔発明６〕
また、第６の発明は、第４または第５の発明において、前記壁パネルと梁材間に前記床パネルの端面を位置させると共に、当該床パネルの端面に胴差しを接合し、当該胴差しの接合面または前記床パネルの端面のいずれか一方あるいは両方に、前記パイプ体または中空ボルトが通過する溝部を備えたことを特徴とする建物の配線構造である。
このような配線構造によれば、建物の外壁や吹き抜け部分に位置する壁パネルと梁材間においてもケーブル類の配線を容易かつ確実に行うことができる。
【００１２】
〔発明７〕
また、第７の発明は、第２または第５の発明において、前記接合ボルトは、胴差ボルトであることを特徴とする建物の配線構造である。
このような配線構造によれば、壁パネル同士あるいは壁パネルと梁材とを接合する接合ボルトとして用いられている胴差ボルトをケーブル類の配線のために有効活用できる。
【００１３】
〔発明８〕
また、第８の発明は、第１〜７のいずれかの発明において、前記壁パネル内に、前記ケーブル類を通過させて配線するための案内管を備えたことを特徴とする建物の配線構造である。
このような配線構造によれば、壁パネル内におけるケーブル類の配線を簡単かつ確実に行える。
【００１４】
〔発明９〕
また、第９の発明は、第１〜７のいずれかの発明において、前記壁パネルと床パネル、および当該床パネルと前記梁材とを接着剤およびスクリュー釘で連結することを特徴とする建物の配線構造である。
このような配線構造によれば、壁パネルと床パネル、および床パネルと梁材との接合強度を向上させることができる。これによって、中空ボルトによる接合力を補強することができる。 
【００１５】
〔発明１０〕
また、第１０の発明は、柱と横架材とを座付ボルトで接合した建物の配線構造であって、前記座付ボルトを両端が開口した中空ボルトで構成し、当該中空ボルト内に、前記柱と横架材との間に亘るケーブル類を通過させて配線したことを特徴とする建物の配線構造である。
このような配線構造によれば、柱と横架材とを接合するための座付ボルトをケーブル類の配線のために有効活用できる。
【００１６】
〔発明１１〕
また、第１１の発明は、小屋梁材と軒桁材、軒桁材と柱材、胴差材と床梁材および柱材と胴差材とを羽子板ボルトで接合した建物の配線構造であって、前記羽子板ボルトを両端が開口した中空ボルトで構成し、当該中空ボルト内に、前記小屋梁材と軒桁材との間、または軒桁材と柱材との間、または胴差材と床梁材との間、あるいは柱材と胴差材との間に亘るケーブル類を通過させて配線したことを特徴とする建物の配線構造である。
このような配線構造によれば、小屋梁材と軒桁材などを接合するための羽子板ボルトをケーブル類の配線のために有効活用できる。
【００１７】
〔発明１２〕
また、第１２の発明は、梁材と桁材間を火打金物で補強した建物の配線構造であって、前記火打金物をパイプ体で構成し、当該パイプ体内に、前記梁材と桁材との間に亘るケーブル類を通過させて配線したことを特徴とする建物の配線構造である。
このような配線構造によれば、梁材と桁材間を補強するための火打金物をケーブル類の配線のために有効活用できる。
【発明の効果】
【００１８】
本発明の配線構造によれば、建物の施工と並行して行われるケーブル類の配線工事を容易かつ確実に実施できる。また、現場においてルール無く行われたパネル等に対する配線のための余分な加工を施す必要がなくなるため、パネル等や建物の強度低下および構造耐力上の悪影響などを未然に防止できる、などといった優れた効果を発揮する。
【発明を実施するための最良の形態】
【００１９】
以下、本発明の実施の形態を添付図面を参照しながら説明する。
（第１の実施の形態）
図１〜図１４は、本発明に係る建物の配線構造の第１の実施の形態を示したものである。
先ず図１は、本発明に係る建物の配線構造を適用する木質系パネル工法による木造家屋の組み立て順序を示した説明図である。
【００２０】
図示するようにこの木質系パネル工法は、先ず建物を建設する敷地に鉄筋コンクリート製の基礎（布基礎）１０を構築した後、この基礎１０上に複数の床パネルおよび床梁からなる１階の床面２０を敷き込む。次に、この１階の床面２０上に複数の壁パネルからなる１階の壁面３０を組み立てた後、この１階壁面３０上に、同じく複数の床パネルおよび床梁からなる２階床面４０と複数の壁パネルおよび胴差しからなる２階の壁面５０を組み立てる。そして、この２階壁面５０上に屋切パネルなどを介して複数の屋根パネルおよび屋根梁からなる屋根面６０を敷き込むことでモノコック構造の木造家屋が一体的に組み立てられるようになっている。
【００２１】
図２は、この１階壁面３０や２階壁面５０を構成する壁パネルＰｗの実施の一形態を示したものである。
図示するように、この壁パネルＰｗは、矩形状の木製枠１１０内にグラスウールなどの断熱材１２０を充填すると共に、この木製枠１１０の両面（外側および内側）に合板などからなる面板１３０，１３０を高分子接着剤などによって一体的に貼り付けた構造となっている。
【００２２】
ここで、この壁パネルＰｗの幅および高さなどのサイズは、特に限定されるものでなく適用する場所によって異なるが、例えば高さ約４００〜４３００ｍｍ、幅約２００〜１０００ｍｍ、厚さ約９０〜１２０ｍｍ前後のサイズのものが多用される。なお、この壁パネルＰｗを建物の内壁などとして用いる場合には、木製枠１１０内の断熱材１２０を省略するものもある。
また、この木製枠１１０は、図示するように左右一対の縦框１１１，１１１および上下一対の横框１１２，１１２と、縦中桟１１３と、横中桟１１４，１１４とから構成されている。なお、このうち縦中桟１１３や横中桟１１４の数などは、その木製枠１１０のサイズなどによって適宜増減するものである。
【００２３】
また、この壁パネルＰｗは、使用する場所によっては、さらに断熱材１２０の両側に防湿フィルムを介在させたり、木製枠１１０や面板１３０，１３０の一部あるいは全部に防腐剤・防蟻剤処理などを施すこともできる。
また、この壁パネルＰｗ内には、両端が開口した案内管（リード管）１１５が木製枠１１０の横中桟１１４，１１４を貫通するように設けられており、この案内管（リード管）１４０内に、後述する電源線や電話線などのケーブル類を通過させることでその壁パネルＰｗ内部に配線できるようになっている。
【００２４】
また、この案内管１１５の延長線上に位置する横框１１２、１１２には、パネル組み立て時において後述するパイプ体が貫通するための貫通孔１４０（他方は図示省略）が形成されている。
また、この壁パネルＰｗの片面あるいは両面の面板１３０の角部には、例えば直径が十数ｃｍ程度の円形の作業用孔１１６、１１６が形成されており、この壁パネルＰｗを後述するように接合ボルトなどを用いて組み立てる際の作業を容易にしている。
【００２５】
一方、１階の床面２０や２階床面４０を構成する床パネルＰｆは、図３に示すように、この壁パネルＰｗとほぼ同様な構成となっているが、特に垂直方向の大きな荷重にも充分に耐え得るべく壁パネルＰｗよりもやや堅牢な構造となっている。
すなわち、この床パネルＰｆは、矩形状の木製枠１５０の片面（上面）に合板などからなる面板１６０を高分子接着剤などによって一体的に貼り付けた構造となっている。
【００２６】
この木製枠１５０は、図中前後一対の縦框１５１，１５１および左右一対の横框１５２，１５２と、それぞれ２つの縦中桟１５３，１５３および横中桟１５４，１５４とから構成されているが、このうち縦中桟１５３や横中桟１５４の数などは、壁パネルＰｗと同様にその木製枠１５０のサイズなどによって適宜増減するものである。
そして、そのサイズも特に限定されるものでなく適用する場所によって異なるが、例えば高さ約３６００ｍｍ前後、幅約９００ｍｍ前後、厚さ約９０〜１８０ｍｍ程度のサイズのものが多用される。なお、この床パネルＰｆを１階床面２０として用いる場合には、さらにこの木製枠１５０内に断熱材が設けられる。
【００２７】
次に、図４は、このような構造をした壁パネルＰｗや床パネルＰｆを用いた建物の外壁部分の詳細な構造を示したものである。
図示するように、鉄筋コンクリート製の基礎１０上には、台輪１１を介して複数の床パネルＰｆが敷き込められており、これら複数の床パネルＰｆによって１階の床面２０が構成されている。
また、この１階の床面２０の外延部には、半土台２１を介して複数の壁パネルＰｗが立設されており、これら複数の壁パネルＰｗによって１階の壁面３０が形成されている。
【００２８】
すなわち、この基礎１０上には、アンカーボルト１２が複数立設されており、このアンカーボルト１２を床パネルＰｆと半土台２１によってその側面から挟み込むと共に、その頂部を壁パネルＰｗの下縁部に差し込んだ後、その頂部に図示しないナットを螺合させることで、床パネルＰｆと半土台２１と壁パネルＰｗとを基礎１０上に一体的に締結支持するようになっている。なお、このナットの螺合作業は、前述したように壁パネルＰｗの角部に設けられた円形の作業用孔１１６を利用することで容易に行うことが可能となっている。
【００２９】
また、隣接する壁パネルＰｗ、Ｐｗ同士および床パネルＰｆ、Ｐｆ同士は、接着剤やスクリュー釘などによって密着状態に接合されるようになっている。また、隣接する壁パネルＰｗ、Ｐｗの角部はコーナー結合材３２などを介して接合され、また、ドアなどが設置される１階の壁面３０の開口部は、小壁パネル３１や半割材３３などによって形成されるようになっている。
【００３０】
さらに、この１階の壁面３０には、複数の床パネルＰｆからなる２階床面４０が形成されていると共に、この２階床面４０の外延部には、胴差し４１を介して複数の壁パネルＰｗが立設されており、これら複数の壁パネルＰｗによって２階の壁面５０が形成されている。
図５および図６は、この胴差し４１を中心とした２階床面４０の外延部と２階の壁面５０の下端部と１階の壁面３０の上端部の接合構造を示したものである。
【００３１】
図示するように、１階の壁面３０を構成する壁パネルＰｗ上には、２階床面４０を構成する床パネルＰｆの縁部（木製枠１５０の横框１５２）と胴差し４１が互いに密着するように位置すると共に、この床パネルＰｆの縁部と胴差し４１上に２階壁面５０を構成する壁パネルＰｗの下縁部（木製枠１１０の横框１１２）が載置するような位置関係となっている。
【００３２】
そして、この２階壁面５０を構成する壁パネルＰｗの下縁部と、１階の壁面３０を構成する壁パネルＰｗの上端部（木製枠１１０の横框１１２）間を垂直に貫通するように胴差ボルト（接合ボルト）４２を差し込み、その両端にそれぞれ平座金４３、４３を介してナット４４、４４を螺合して床パネルＰｆの縁部と胴差し４１を上下に挟み込むように締結することで２階床面４０と２階壁面５０とを同時に接合するようになっている。
【００３３】
ここで、この胴差ボルト４２は、図４に示すように予め床パネルＰｆの縁部と胴差し４１の接合面にそれぞれ対向するように形成された溝部４１ａ、４０ａで構成される通過孔内に収容されるように設けられるようになっている。また、この胴差ボルト４２の締結作業は、前述したように壁パネルＰｗの角部に形成された円形の作業用孔１１６を利用して行うことはいうまでもない。
【００３４】
また、この２階壁面５０の壁パネルＰｗ、Ｐｗ同士および２階床面４０の床パネルＰｆ、Ｐｆ同士も同様に接着剤やスクリュー釘などによって密着状態に接合されるようになっている。また、同様に隣接する壁パネルＰｗ、Ｐｗの角部はコーナー結合材５４などを介して接合され、また、窓などが設置される２階壁面５０の開口部は、小壁パネル５１や腰壁パネル５２および半割材５３などによって形成されるようになっている。
そして、この２階壁面５０上には、結合桁６１や屋切パネルＰｓおよび屋根梁６２を介して複数の屋根パネルＰｒが接合されるようになっており、この複数の屋根パネルＰｒによって建物の屋根面６０が形成されるようになっている。
【００３５】
次に、図７は、このような構造をした建物の１階の壁パネルと２階の壁パネルの接合部分のうち、特に外壁に面した胴差し部分の配線構造を示したものである。
図において符号Ｐｗ１は、１階（下階）の壁面３０を構成する壁パネルであり、その上端には２階床面を構成する床パネルＰｆおよび胴差し４１を介して２階（上階）の壁面５０を構成する壁パネルＰｗ２が複数（図では２つ）胴差ボルト４２、４２によって接合された構造となっている。
【００３６】
そして、図示するようにこの下階の壁パネルＰｗ１と上階の壁パネルＰｗ２間には、胴差ボルト４２と同様に、その間の床パネルＰｆおよび胴差し４１を垂直に貫通するようにパイプ体２００が架け渡されており、このパイプ体２００内を通過させて上下階に亘るケーブル類Ｃが配線されるようになっている。
すなわち、このパイプ体２００は、両端が開口した、金属あるいは樹脂製のパイプ本体２１０の上端部にフランジ２２０を備えた構造となっている。
【００３７】
そして、図８および図９に示すように、胴差ボルト４２と同様、壁パネルＰｗ１上端および壁パネルＰｗ２下端（の木製枠１１０の横框１１２）にそれぞれ形成された貫通孔１４０、１４０と、床パネルＰｆの縁部と胴差し４１の接合面にそれぞれ対向するように形成された溝部４１ｂ、４０ｂで構成される通過孔３００内に、このパイプ体２００を、その上階の壁パネルＰｗ２側から落とし込むように挿入して取り付けられるようになっている。なお、この通過孔３００内にこのパイプ体２００を挿入した状態では、このパイプ体２００のフランジ２２０が壁パネルＰｗ２側の貫通孔１４０上に係合するようになっており、これによってその脱落が回避されるようになっている。また、この通過孔３００は、溝部４１ｂ、４０ｂのうち一方によってのみ構成するようにしても良い。
【００３８】
このような本発明の配線構造によれば、建物の外壁部分において上下階に亘る電線などのケーブル類Ｃを床パネルＰｆと胴差し４１部分を通過させ外壁パネル内に容易かつ確実に配線することができる。
これによって、上下階に亘るケーブル類Ｃの配線を所定のルールに基づいて実施できるため、その配線作業の手間を省くことができる。また、現場において配線のための余分な加工をパネルに施す必要がなくなるため、パネルや建物の強度低下などを回避することができる。
【００３９】
なお、本実施の形態では、建物の外壁部分に位置する胴差し４１部分を例にして説明したが、例えばエントランスなどのように屋内の吹き抜け部分などにも同様に適用できる。
また、このような配線構造は、図１０および図１１に示すように屋内に位置する内壁などの部分にも同様に適用することができる。
すなわち、図示するように床パネルＰｆ、Ｐｆの接合部（突き合わせ部）に、建物内の各部屋などを仕切るための壁パネルＰｗ１、Ｐｗ２同士を上下に連結するにあたっては、その床パネルＰｆ、Ｐｆの接合面にそれぞれ溝部４０ｂ、４０ｂを形成し、この溝部４０ｂ、４０ｂによってパイプ体２００の通過孔３００を形成することになる。
【００４０】
これによって、建物の外壁部分と同様に建物内の各部屋などを仕切るための壁パネルＰｗ１、Ｐｗ２間を上下階に亘る電線などのケーブル類Ｃを容易かつ確実に配線することができる。なお、この溝部４０ｂ、４０ｂは、床パネルＰｆ、Ｐｆの一方にのみ設けるようにしても良い。
また、本実施の形態では、上下階の壁パネルＰｗ１、Ｐｗ２間に亘る配線構造の例を示したが、図１２に示すように、壁パネルＰｗとこれを支持する梁材４００間においても同様に適用することができる。
【００４１】
この場合には、図示するように前記床パネルＰｆ側の通過孔３００と連通するように梁材４００に対して通過孔３１０を形成し、この梁材４００側の通過孔３１０内に通過孔３００側から延びるパイプ本体２１０の下端側を貫通させることで壁パネルＰｗと梁材４００間に電線などのケーブル類Ｃを容易かつ確実に配線することができる。
また、これら壁パネルＰｗと床パネルＰｆ、および床パネルＰｆと梁材４００などの接合は、図１３に示すように高分子接着剤と共に、引き抜き耐力に優れたスクリュー釘ＳＮによって接合されている。このスクリュー釘ＳＮは、釘の胴体に螺旋状の溝が刻み込まれたものであり、在来工法などで一般的に用いられている丸釘に比べて約２倍の引き抜き耐力（約２．０ｋＮ）を発揮することができる。そのため、これらパネル同士の接合を容易かつ確実に行えると共に、優れた接合強度を発揮することができる。
【００４２】
（第２の実施の形態）
次に、図１４〜図１６は、本発明に係る建物の配線構造の第２の実施の形態を示したものである。
図示するように本実施の形態は、前述したような壁パネルＰｗ１、Ｐｗ２同士を床パネルＰｆを挟んで上下に連結するための胴差ボルト（接合ボルト）４２の代わりに、図１４に示すような両端が開口したパイプ状の中空ボルト５００を用い、この中空ボルト５００内に上下階の壁パネルＰｗ１、Ｐｗ２間に亘るケーブル類Ｃを配線したものである。
すなわち、この中空ボルト５００は、図１５に示すように両端が開口したパイプ状のボルト本体５１０、このボルト本体５１０の両端にそれぞれ嵌合される一対の矩形状平座金５２０，５２０と、このボルト本体５１０の両端にそれぞれ螺合する一対のナット５３０，５３０とから構成されている。
【００４３】
そして、前述したような従来の胴差ボルト４２（平座金４３、ナット４４）と同様、図１６に示すようにこの中空ボルト５００のボルト本体５１０を下階の壁パネルＰｗ１の上端から上階の壁パネルＰｗ２の下端間に亘って貫通させると共に、そのボルト本体５１０の両端に平座金５２０、５２０を介してナット５３０，５３０を螺合して締め付けることで、床パネルＰｆと胴差し４１を挟んで上下階の壁パネルＰｗ１、Ｐｗ２を強固に接合する。そして、図１４および図１６に示すように、両端が開口した状態となっているこの中空ボルト５００のボルト本体５１０にケーブル類Ｃを通過させることで上下階の壁パネルＰｗ１、Ｐｗ２間に亘るケーブル類Ｃを配線することができる。
【００４４】
このような配線構造によれば、前記第１の実施の形態に示したような効果に加え、上下階の壁パネルＰｗ１、Ｐｗ２を接合するための胴差ボルト（接合ボルト）４２を配線のために活用できるため、ケーブル類Ｃの配線作業をさらに容易かつ確実に実施することができる。
なお、この中空ボルト５００の組み付け作業などを容易にするために、この平座金５２０、５２０の一方を予めボルト本体５１０の一端部に固定して一体化した構造であっても良い。
【００４５】
（第３の実施の形態）
次に、図１７〜図２２は、本発明に係る建物の配線構造の第３の実施の形態を示したものである。
先ず、図１７は、木造軸組工法などの在来工法は勿論、前述した木質パネル工法にも適用可能な座付ボルト６００の一例を示したものである。
図示するようにこの座付ボルト６００は、両端が開口したパイプ状のボルト本体６１０の一端部に円形座６２０等を一体的に備えると共に、その他端部にナット６３０を螺合自在に備えた構造となっている。
【００４６】
そして、この円形座付ボルト６００を、例えば図１８に示すように建物の横架材を垂直に貫通させ、その下端部を、横架材と接する柱に取り付けられたホールダウン金物６４０などに締結するように取り付けることで横架材と柱を接合できるだけでなく、このボルト本体６１０にケーブル類Ｃを通過させることによって、その横架材と柱との接合付近におけるケーブル類Ｃの配線を容易かつ的確に実施することができる。
【００４７】
次に、図１９は、前記の座付ボルト６００と同じく木造軸組工法などの在来工法は勿論、前述した木質パネル工法にも適用可能な、いわゆる羽子板ボルト７００を示したものである。
図示するようにこの羽子板ボルト７００は、両端が開口したパイプ状のボルト本体７１０の一端部に羽子板状の羽根部７２０を一体的に備えると共に、その他端部に図示しない座金などを介してナット７３０を螺合自在に備えた構造となっており、図２０に示すように建物の横架材同士の接合や、小屋梁と軒桁、軒桁と柱、胴差と床梁および通し柱と胴差などの接合に使用可能となっている。
【００４８】
そして、図２０に示すように、この羽子板ボルト７００のボルト本体７１０を一方の横架材に貫通させて取り付けると共に、羽根部７２０側を前記の座付ボルト６００によって他方の横架材に固定することで横架材同士の接合だけでなく、このボルト本体７１０にケーブル類Ｃを通過させることによって、その横架材同士の接合付近におけるケーブル類Ｃの配線を容易かつ的確に実施することができる。
【００４９】
なお、図２１は、一方の横架材を挟んで横架材同士を突き合わせて接合するような接合部などに適用される羽子板ボルト７００の他の例を示したものであり、羽根部７２０を分離可能としたものである。このような接合構造の場合であっても、一方の横架材に対してケーブル類Ｃを通過させるための孔などを形成することなく、その横架材同士の接合付近におけるケーブル類Ｃの配線を容易かつ的確に実施することができる。
【００５０】
さらに、図２２は、前記の円形座付ボルト６００や羽子板ボルト７００と同じく木造軸組工法などの在来工法は勿論、前述した木質パネル工法にも適用可能な火打金物８００の一例を示したものである。
図示するようにこの火打金物８００は、両端が開口したパイプ体８１０の両端に取付板８２０，８２０を一体的に備えたものであり、柱と桁と梁との接合部（隅角部）などの接合に使用されるようになっている。
【００５１】
そして、図示するようにこのパイプ体８１０内にケーブル類Ｃを通過させることによって、梁と桁間に亘るケーブル類Ｃの配線を容易かつ的確に実施することができる。
また、図２３に示すように、この火打金物８００の取付板８２０を前述した中空ボルト５００で梁側に固定するようにすれば、さらにケーブルＣをこの中空ボルト５００を通過させて梁の反対側に配線することも可能となる。
【図面の簡単な説明】
【００５２】
【図１】パネル組立工法による建物の組み立て工程を示す説明図である。
【図２】壁パネルＰｗの一例を示す部分破断斜視図である。
【図３】床パネルＰｆの一例を示す部分破断斜視図である。
【図４】パネル組立工法による建物の構成を示す分解図である。
【図５】上下壁パネルＰｗと胴差し４１付近の接合構造を示す斜視図である。
【図６】上下壁パネルＰｗと胴差し４１付近の接合構造を示す縦断面図である。
【図７】上下壁パネルＰｗと胴差し４１付近の配線構造を示す斜視図である。
【図８】上下壁パネルＰｗと胴差し４１付近の配線構造を示す分解図である。
【図９】上下壁パネルＰｗと胴差し４１付近の配線構造を示す縦断面図である。
【図１０】上下壁パネルＰｗと床パネルＰｆ付近の配線構造を示す分解図である。
【図１１】上下壁パネルＰｗと床パネルＰｆ付近の配線構造を示す縦断面図である。
【図１２】壁パネルＰｗと梁材４００と胴差し４１付近の配線構造を示す縦断面図である。
【図１３】上下壁パネルＰｗと床パネルＰｆ付近の接合状態を示す縦断面図である。
【図１４】上下壁パネルＰｗと胴差し４１付近の配線構造の他の例を示す斜視図である。
【図１５】接合ボルト５００の一例を示す分解斜視図である。
【図１６】接合ボルト５００を用いた上下壁パネルＰｗと胴差し４１付近の配線構造を示す縦断面図である。
【図１７】在来工法などに適用可能な座付ボルト６００の一例を示す斜視図である。
【図１８】座付ボルト６００を用いた配線構造の一例を示す斜視図である。
【図１９】在来工法などに適用可能な羽子板ボルト７００の一例を示す斜視図である。
【図２０】羽子板ボルト７００を用いた配線構造の一例を示す斜視図である。
【図２１】羽子板ボルト７００を用いた配線構造の他の例を示す斜視図である。
【図２２】火打金物８００を用いた配線構造の一例を示す斜視図である。
【図２３】火打金物８００を用いた配線構造の他の例を示す斜視図である。
【符号の説明】
【００５３】
１０…基礎（布基礎）
２０…１階床面
３０…１階壁面
４０…２階床面
４０ｂ…溝部
４１…胴差し
５０…２階壁面
６０…屋根面
１１０…木製枠
１１１…縦框
１１２…横框
１１３…縦中桟
１１４…横中桟
１１５…案内管（リード管）
１１６…作業用孔
１２０…断熱材
１３０…面板
２００…パイプ体
２１０…パイプ本体
２２０…フランジ
３００、３１０…通過孔
４００…梁材
５００…中空ボルト
６００…座付ボルト
７００…羽子板ボルト
８００…火打金物
Ｐｗ…壁パネル
Ｐｆ…床パネル
Ｃ…ケーブル類
ＳＮ…スクリュー釘
【図１】
2010144448.tif 000003
【図２】
2010144448.tif 000004
【図３】
2010144448.tif 000005
【図４】
2010144448.tif 000006
【図５】
2010144448.tif 000007
【図６】
2010144448.tif 000008
【図７】
2010144448.tif 000009
【図８】
2010144448.tif 000010
【図９】
2010144448.tif 000011
【図１０】
2010144448.tif 000012
【図１１】
2010144448.tif 000013
【図１２】
2010144448.tif 000014
【図１３】
2010144448.tif 000015
【図１４】
2010144448.tif 000016
【図１５】
2010144448.tif 000017
【図１６】
2010144448.tif 000018
【図１７】
2010144448.tif 000019
【図１８】
2010144448.tif 000020
【図１９】
2010144448.tif 000021
【図２０】
2010144448.tif 000022
【図２１】
2010144448.tif 000023
【図２２】
2010144448.tif 000024
【図２３】
2010144448.tif 000025